(57)【要約】      （修正有）【課題】色づけの少ない透明度の高い音、低域を重視した３次元的な豊かな音場感及び躍動感のある音を実現するオーディオ機器に用いられるＵＳＢケーブルを提供する。【解決手段】ＵＳＢコネクタＡタイプの規格を備えた端子１と、ＵＳＢコネクタＢタイプの規格を備えた端子２と、これらの両端子１、２に接続される信号ライン３及び電源ライン４と、この２芯構造の外側に設けられた硬鋼製スプリング５によるシールドと、そのスプリング５に接続させるグランドアース線６と、前記スプリング５の両端５０、５０を係止させるフェライトコア７とを備えている。【選択図】図１
0003172343.tif 000002
【実用新案登録請求の範囲】
【請求項１】
両端子間に信号ラインと電源ラインを設けたＵＳＢケーブルにおいて、
各ラインは、それぞれアルミペットシールドと、その外側の高密度編組シールドの２芯構造とすると共に、
この２芯構造の外側に、独立した硬鋼製スプリングによるシールドを加え、且つ、そのスプリングにグランドアース線を接続したことを特徴とするＵＳＢケーブル。
【請求項２】
前記スプリングの両端がそれぞれフェライトコアに係止されると共に、これらのフェライトコアは圧縮チューブに覆われていることを特徴とする請求項１のＵＳＢケーブル。
【請求項３】
前記スプリングに収容され、且つ、前記信号ラインと前記電源ラインを納めるシースの周囲に、スペースが形成されていることを特徴とする請求項１のＵＳＢケーブル。
【考案の詳細な説明】
【技術分野】
【０００１】
本考案は、パーソナルコンビ―タ（パソコン）とオーディオ機器間を接続するＵＳＢケーブルに関するものである。
【背景技術】
【０００２】
出願人は、オーディオ機器に用いられるケーブルを通じて、「色づけの少ない透明度の高い音」、「低域を重視した３次元的な豊かな音場感」及び「躍動感のある音」を実現すべく、接続ケーブル、デジタルケーブル、スピーカーケーブル、電源ケーブル、フォノケーブル及びＵＳＢケーブル等の研究開発を行っている。
【０００３】
しかし、これらのケーブルの内、ＵＳＢケーブルの場合は、細い径の一本のケーブルに信号ラインと電源ラインが走っており、電源ラインが信号ラインに与える不要輻射等のノイズ対策が重要課題になっている。
【０００４】
この課題の改善策として、特許文献１では、信号ラインと電源ラインを完全に分離した複合ケーブルが示唆されている。
【先行技術文献】
【特許文献】
【０００５】
【特許文献１】特開２００７−２８６７３３号公報
【０００６】
即ち、このような複合ケーブルをＵＳＢケーブルに応用することが、ノイズ対策に有効であると考えられる。
しかし、ＵＳＢケーブルの一端が接続されるパソコンの筐体からは不要輻射が出ており、ＵＳＢケーブルについてはノイズ対策に万全な処置を講ずる必要があった。
【考案の概要】
【考案が解決しようとする課題】
【０００７】
そこで、出願人は、オーディオ機器に用いられるＵＳＢケーブルにおいても、徹底した高Ｓ／Ｎ比を施し、そのケーブルを通じて「色づけの少ない透明度の高い音」、「低域を重視した３次元的な豊かな音場感」及び「躍動感のある音」を実現すべく、本案を考案したものである。
【課題を解決するための手段】
【０００８】
本考案は、両端子間に信号ラインと電源ラインを設けたＵＳＢケーブル（以下、単にケーブルとも称する）において、各ラインは、それぞれアルミペットシールドと、その外側の高密度編組シールドの２芯構造とすると共に、この２芯構造の外側に、独立したスプリングによるシールドを加え、且つ、そのスプリングにグランドアース線を接続したことを特徴とするケーブルとした（請求項１の考案）。
【０００９】
前記スプリングの両端がそれぞれフェライトコアに係止されると共に、これらのフェライトコアは圧縮チューブに覆われていることを特徴とするケーブルとした（請求項２の考案）。
また、前記スプリングに収容され、且つ、前記信号ラインと前記電源ラインを納めるシースの周囲に、スペースが形成されていることを特徴とするケーブルとした（請求項の３の考案）。
【考案の効果】
【００１０】
本考案に係るケーブルは、アルミペットシールドと、その外側の高密度編組シールドによる２重シールドに加え、更に外周に設けた硬鋼製スプリングによるシールドとの３重シールド構造となっている。
また、スプリングにグランドアース線を接続し、そのグランドアース線がアース（接地）されることでノイズ対策を図ることができる。
また、ケーブルの両端のフェライトコアにより、外部からケーブルへの浸入前と浸入後の不要輻射を排除できると共に、前記フェライトコアによりスプリングの両端がそれぞれ係止され、且つ、これらのフェライトコアは圧縮チューブに覆われている。よって、フェライトコアの装着が意識されることはなく、洗練された構造のケーブルとすることができる。
さらにススプリングとこのスプリングに収容されているシースの周囲に設けられるスペースにより、ケーブルの可撓性が高まり、扱い易く、使い勝手のすぐれたケーブルとなっている。
【図面の簡単な説明】
【００１１】
【図１】図１は、本考案に係るケーブルの平面図である。
【図２】図２は、図３に示した個所の同ケーブルの断面図である。
【図３】図３は、同ケーブルの分解斜視図である。
【考案を実施するための形態】
【００１２】
本考案に係るケーブルＣは、図１及び図２に示すように、ＵＳＢコネクタＡタイプの規格を備えた端子１と、ＵＳＢコネクタＢタイプの規格を備えた端子２と、これらの両端子１、２に接続される信号ライン３及び電源ライン４と、この２芯構造の外側に設けられた硬鋼製スプリング５によるシールドと、そのスプリング５に接続させるグランドアース線６と、前記スプリング５の両端５０、５１を係止させるフェライトコア７、７とを備えている。
【００１３】
前記端子１、２は、ＵＳＢの規格を備えたものであればよく、前記ＵＳＢコネクタＡタイプ、同Ｂタイプに限定されるものではない。
【００１４】
前記信号ライン３は、図２に図示したように、アルミペットシールド３０と、その外側の錫メッキ軟銅線１１２本による高密度編組シールド３１の２重シールドからなり、アルミペットシールド３０にシールドされる導体３２は、超高純度７ＮＣｕを中心に、純銀コートＨｉｇｈｅｒＯＦＣと高純度単結晶ＰＣＯＣＣの３種素材のハイブリット導体で構成される。これらの導体３２は、中心に０．１８ｍｍΦの素線１本及び０．１４ｍｍΦの素線６本で合計７本から構成されている（ＡＷＧ２６相当）。そしてこれらの導体３２は、エネルギー伝送に優れた撚り線に仕上げられ、誘電効率の高い架橋ポリエチレンの絶縁体３３により絶縁されている。
【００１５】
前記電源ライン４は、図２に図示したように、アルミペットシールド４０と、その外側の前記高密度編組シールド３１と同様の構成の高密度編組シールド４１の２重シールドからなり、アルミペットシールド４０を走行する導体４２は、超高純度７ＮＣｕと高純度無酸素銅の２種素材のハイブリット導体であって、導体サイズは、０．１８ｍｍΦ×１２から構成されている（ＡＷＧ２２相当）。これらの導体４２も撚り線に仕上げられ、ＰＶＣの絶縁体４３により絶縁されている。
なお、図２の符号「３４」はドレンワイヤーである。
【００１６】
これらのライン３、４は、ＲｏＨＳ対応の青透明ＰＶＣシース３５に入れられて配置されており、そのシース３５は、前記硬鋼製スプリング５によって作られる約１０ｍｍΦの直径の中に収まる円筒の両側の三日月部を切欠いた形状に構成され、その切欠かれた三日月状のスペースＳが、ケーブルＣに可撓性を与えるようになっている。
【００１７】
前記硬鋼製スプリング５は、ケーブルＣに可撓性を与えるもので、この硬鋼製ススプリング５の端部５１に接続されている前記グランドアース線６により、キャパシティの増大を図り、ノイズ対策としている。
【００１８】
前記フェライトコア７、７はノイズ対策用のものであると共に、前記硬鋼製スプリング５の両端部５０，５１を安定的に止める機能を発揮する。
【００１９】
以上の構成において、前記硬鋼製スプリング５をナイロン編組の強靭な外部ジャケット８で覆い、そのジャケット８の端部８０、８１と前記フェライトコア７、７を圧縮チューブ９でカバーしている。
【００２０】
以上のように構成されるケーブルＣは、前記端子１が、パソコンに設けられたコネクタに接続され、一方の端子２がオーディオ機器のＤ／Ａコンバータ等に接続される（それぞれ図示せず）。
そして、インターネットを介してダウンロード配信されてパソコンのメモリ等に格納されている音源データ、ＵＳＢメモリの音源データ、ディスクの音源データ等がパソコンからオーディオ機器のＤ／Ａコンバータ等に出力され、このＤ／Ａコンバータ等から出力させるアナログ音響信号が、アンプ等の増幅器に出力され、スピーカー等を介して、パソコン内の音源データが再生されるようになっている。
【００２１】
本考案によれば、次のような作用効果を奏することができる。
（１）  本考案に係る信号ライン３（ＡＷＧ２６）は、細かい導線の中でより導体量を増やすことにより、導体総量が、一般製品（通常一般の信号ラインはＡＷＧ２８）に比べて、約２５％の増量となり、伝送エネルギーを大幅に向上させることができる。
（２）  また同信号ライン３は、高純度シルバーコーティングが加わったことで、高域特性に優れ、細やかな倍音成分をロスなく再生することができる。
（３）  また同信号ライン３にＰＣＯＣＣが加わった結果、躍動感のある低域とエネルギッシュな表現を実現している。
（４）  通常は、端子１、２のＧＮＤ端子を介してパソコン及びオーディオ機器を通じてアースされる（シャーシアース）が、本考案では、硬鋼製スプリング５のグランドアース線６により、グラントアースすることができ、ノイズ対策に有効である。
（５）  信号ライン３と電源ライン４の２芯を分離させ、それらの外側の硬鋼製スプリング５による３重シールドと、また硬鋼製ススプリング５に接続されたグランドアース線６と、両端のフェライトコア７、７の三位一体の構造により、ＳＮ比を向上させることができる。
（６）  ノイズ対策用のフェライトコア７，７を硬鋼製スプリング５のストッパーとして活用し、かつ、圧縮チューブ９で覆うことで、硬鋼製スプリング５を安定的に配置させると共に、フェライトコア７、７の質感がカバーされることで洗練されたケーブルにすることができる。
（７）  硬鋼製スプリング５とこの硬鋼製スプリング５に収容されているシース３５の周囲に設けられるスペースＳにより、ケーブルＣの可撓性が高まり、扱い易く、使い勝手のすぐれたケーブルとなっている。
【００２２】
本考案は以上説明した実施例に限定されるものではなく、多くの変形が本考案の技術的思想内で当分野において、通常の知識を有する者により可能である。
【符号の説明】
【００２３】
１  端子
２  端子
３  信号ライン
３０  アルミペットシールド              ３１  高密度編組シールド
３２  導体                              ３３  架橋ポリエチレンの絶縁体
４  電源ライン
４０  アルミペットシールド              ４１  高密度編組シールド
４２  導体                              ４３  ＰＶＣの絶縁体
３４  ドレンワイヤー
３５  シース
５  硬鋼製スプリング
５０  ５１  スプリングの両端
６  グランドアース線
７  フェライトコア
８  外部ジャケット
８０  ８１  ジャケットの端部
９  圧縮チューブ
Ｓ  スペース
Ｃ  ケーブル
【図１】
0003172343.tif 000003
【図２】
0003172343.tif 000004
【図３】
0003172343.tif 000005